(57)【特許請求の範囲】
【請求項１】
表示体と、
この表示体に駆動信号を供給する駆動回路と、
この駆動回路を制御する制御手段と、を備え、
前記表示体に所定の表示情報を表示させるようになっている電子機器において、
前記表示体は、液晶表示体と、この液晶表示体の表示面上に重ねられて配置された光透過性を有する有機ＥＬ表示体と、を備え、
前記駆動回路は、前記液晶表示体に駆動信号を供給する液晶用駆動回路と、前記有機ＥＬ表示体に駆動信号を供給する有機ＥＬ用駆動回路と、を備え、
前記制御手段は、前記表示情報を記憶する情報記憶部と、
供給される表示情報に基づいて前記液晶用駆動回路を動作させる液晶用制御回路と、
供給される表示情報に基づいて前記有機ＥＬ用駆動回路を動作させる有機ＥＬ用制御回路と、
前記情報記憶部に記憶されている表示情報を前記液晶用制御回路及び前記有機ＥＬ用制御回路のいずれかに選択して供給可能な表示情報切替回路と、を備え、
前記液晶用駆動回路と前記有機ＥＬ駆動回路とは、同一の基板に形成されており、
前記表示情報切替回路は、有機ＥＬ表示体が表示された状態で未操作状態が所定時間続いた場合、前記有機ＥＬ用制御回路から前記液晶用制御回路に選択を切り替えることを特徴とする電子機器。
【請求項２】
表示体と、
この表示体に駆動信号を供給する駆動回路と、
この駆動回路を制御する制御手段と、を備え、
前記表示体に所定の表示情報を表示させるようになっている電子機器において、
前記表示体は、液晶表示体と、この液晶表示体の表示面上に重ねられて配置された光透過性を有する有機ＥＬ表示体と、を備え、
前記駆動回路は、前記液晶表示体に駆動信号を供給する液晶用駆動回路と、前記有機ＥＬ表示体に駆動信号を供給する有機ＥＬ用駆動回路と、を備え、
前記制御手段は、前記表示情報を記憶する情報記憶部と、
供給される表示情報に基づいて前記液晶用駆動回路を動作させる液晶用制御回路と、
供給される表示情報に基づいて前記有機ＥＬ用駆動回路を動作させる有機ＥＬ用制御回路と、
前記情報記憶部に記憶されている表示情報を前記液晶用制御回路及び前記有機ＥＬ用制御回路のいずれかに選択して供給可能な表示情報切替回路と、を備え、
前記液晶用駆動回路と前記有機ＥＬ駆動回路とは、同一の基板に形成されており、
前記表示情報切替回路は、電子機器のバッテリーの残量が閾値以下になった場合、前記有機ＥＬ用制御回路から前記液晶用制御回路に選択を切り替えることを特徴とする電子機器。
【発明の詳細な説明】
【０００１】
本発明は、表示体として、有機ＥＬ（Ｅｌｅｃｔｒｏ  Ｌｕｍｉｎｅｓｃｅｎｃｅ）表示体と液晶表示体との両方を備えた電子機器に関する。
【０００２】
【従来の技術】
有機ＥＬ素子（少なくとも一層の発光性有機層が陰極と陽極との間に配置されてなる自発光性素子）を画素に対応させて備える有機ＥＬ表示体は、高輝度で自発光であること、直流低電圧駆動が可能であること、応答性が高速であること、固体有機膜による発光であることによって、優れた表示性能、薄型化、軽量化、 低消費電力化が可能であるため、将来的に液晶表示体に変わるものとして期待されている。
【０００３】
【発明が解決しようとする課題】
しかしながら、有機ＥＬ表示体は、液晶表示体に比べて消費電力が大きいため、特に携帯電話などの電子機器に使用する場合、時刻や待受画面などを電源を投入している間には常時表示しておく必要があることから、さらなる改善の余地があった。
【０００４】
本発明は、上記事情に鑑みてなされたものであり、表示体として、液晶表示体と有機ＥＬ表示体との両方を備え、用途に応じて使い分けるようにすることによって、高速応答及び広視野角が実現可能であるとともに、より低消費電力で駆動させることを可能とした電子機器を提供することを課題としている。
【０００５】
【課題を解決するための手段】
このような課題を解決するために、請求項１に記載の発明は、表示体と、この表示体に駆動信号を供給する駆動回路と、この駆動回路を制御する制御手段と、を備え、前記表示体に所定の表示情報を表示させるようになっている電子機器において、前記表示体は、液晶表示体と、この液晶表示体の表示面上に重ねられて配置された光透過性を有する有機ＥＬ表示体と、を備えて構成されていることを特徴としている。
【０００６】
ここで、光透過性とは、吸収や散乱が生じることなく光などの電磁波が通過する透明の状態や、わずかな吸収や散乱が生じるが光などの電磁波が通過する半透明の状態などを指す。また、液晶表示体の上に、 有機ＥＬ表示体を重ねるとは、液晶表示体の上面に有機ＥＬ表示体が積層されている状態や、液晶表示体の上方に隙間を空けて、有機ＥＬ表示体が配置されている状態を指す。
【０００７】
請求項２に記載の発明は、請求項１に記載の電子機器において、前記駆動回路は、前記液晶表示体に駆動信号を供給する液晶用駆動回路と、前記有機ＥＬ表示体に駆動信号を供給する有機ＥＬ用駆動回路と、 を備えて構成されていることを特徴としている。
請求項３に記載の発明は、請求項１又は２に記載の電子機器において、前記液晶表示体は、ドットマトリックス型の表示体であり、前記有機ＥＬ表示体は、セグメント型の表示体であることを特徴としている。
【０００８】
請求項４に記載の発明は、請求項１又は２に記載の電子機器において、前記液晶表示体及び前記有機ＥＬ表示体のそれぞれは、ドットマトリックス型の表示体であることを特徴としている。
請求項５に記載の発明は、請求項１乃至２のいずれか一項に記載の電子機器において、前記制御手段は、前記液晶表示体に表示される前記表示情報を記憶する液晶用情報記憶部と、この液晶用情報記憶部から供給される表示情報に基づいて前記液晶用駆動回路を動作させる液晶用制御回路と、前記有機ＥＬ表示体に表示される前記表示情報を記憶する有機ＥＬ用情報記憶部と、この有機ＥＬ用情報記憶部から供給される表示情報に基づいて前記有機ＥＬ用駆動回路を動作させる有機ＥＬ用制御回路と、を備えることを特徴としている。
【０００９】
請求項６に記載の発明は、請求項４に記載の電子機器において、前記制御手段は、前記表示情報を記憶する情報記憶部と、供給される表示情報に基づいて前記液晶用駆動回路を動作させる液晶用制御回路と、供給される表示情報に基づいて前記有機ＥＬ用駆動回路を動作させる有機ＥＬ用制御回路と、前記情報記憶部に記憶されている表示情報を前記液晶用制御回路及び前記有機ＥＬ用制御回路のいずれかに選択して供給可能な表示情報切替回路と、を備えることを特徴としている。
【００１０】
請求項７に記載の発明は、請求項６に記載の電子機器において、前記表示情報切替回路は、時間情報に基づいて前記選択を行うようになっていることを特徴としている。
請求項８に記載の発明は、請求項６に記載の電子機器において、前記表示情報切替回路は、明るさに基づいて前記選択を行うようになっていることを特徴としている。
【００１１】
請求項９に記載の発明は、請求項６に記載の電子機器において、前記表示情報切替回路は、バッテリーの残量に基づいて前記選択を行うようになっていることを特徴としている。
請求項１０に記載の発明は、請求項６に記載の電子機器において、前記表示情報切替回路は、使用者の操作に基づいて前記選択を行うようになっていることを特徴としている。
【００１２】
請求項１１に記載の発明は、請求項６に記載の電子機器において、前記表示情報切替回路は、表示情報が静止画像であるか動画像であるかに基づいて前記選択を行うようになっていることを特徴としている。
請求項１２に記載の発明は、請求項１に記載の電子機器において、前記表示情報のうち、 電源を投入している間には常時表示を必要とする第一の表示情報は前記液晶表示体に表示し、それ以外の第二の表示情報は前記有機ＥＬ表示体に表示するようになっていることを特徴としている。
【００１３】
ここで、第一の表示情報とは、例えば、携帯電話の待受画面や時刻表示など、電源を投入している間には常時表示する必要がある表示情報を指し、第二の表示情報とは、例えば、キャラクター表示などの動画表示や暗時の時刻表示など、優れた画像表示を必要とする表示情報を指す。
請求項１３に記載の発明は、液晶表示体と、この液晶表示体の表示面上に重ねられて配置された光透過性を有する有機ＥＬ表示体と、を備えて構成されていることを特徴とする表示体としている。
【００１４】
本発明の電子機器において、表示体を、液晶表示体と、この液晶表示体の表示面上に重ねられて配置された光透過性を有する有機ＥＬ表示体とで構成したことによって、有機ＥＬ表示体における表示と液晶表示体における表示との両方を視認することが可能となるため、必要に応じて液晶表示体と有機ＥＬ表示体とを使い分けたり、或いは同時に使用したりすることが可能となる。
【００１５】
特に、請求項１２に記載の電子機器のように、電源を投入している間には常時表示を必要とする、例えば、携帯電話等の待受画面や時刻表示などの第一の表示情報は、低消費電力の液晶表示体で表示し、それ以外の、液晶表示体では表示が見え難くなる暗時の表示や動画表示などの第二の表示情報は、優れた表示性能を有する有機ＥＬ表示体で表示するようにすることによって、液晶表示体及び有機ＥＬ表示体の双方の欠点を補いつつ、利点を生かすことが可能となる。すなわち、有機ＥＬ表示体の利点である高速応答及び広視野角、或いは良好なコントラストと、液晶表示体の利点である低消費電力とをともに実現させることが可能となり、有機ＥＬ表示体を使用する際の課題とされている、消費電力の問題を改善することができる。
【００１６】
また、請求項６に記載の電子機器において、供給される表示情報に基づいて、液晶用制御回路及び有機ＥＬ用制御回路のいずれかに選択して供給可能な表示情報切替回路を備えたことによって、通常は液晶表示体で表示している、 例えば、携帯電話における時刻表示や待受画面などの表示情報を、有機ＥＬ表示体で表示したり、逆に、通常は有機ＥＬ表示体で表示している、例えば、動画表示などの表示情報を液晶表示体で表示することが可能となるため、表示レイアウトの自由度を向上させることが可能となる。
【００１７】
特に、請求項７に記載の電子機器において、表示情報切替回路を、時間情報に基づいて選択を行うようにしたことによって、例えば、有機ＥＬパネルが表示された状態で、 未操作の状態が所定時間続くと、自動的に液晶パネルを表示させるようにすることが可能となる。よって、電子機器のさらなる低消費電力化を実現することが可能となる。
【００１８】
また、請求項８に記載の電子機器において、表示情報切替回路を、電子機器周辺の明るさに基づいて選択を行うようにしたことによって、例えば、液晶表示体で表示が見え難くなる暗時には、有機ＥＬ表示体に表示させるようにすることが可能となる。よって、暗示においても、視認性に優れた表示情報を表示することが可能となる。
【００１９】
さらに、請求項９に記載の電子機器において、表示情報切替回路を、バッテリーの残量に基づいて選択を行うようにしたことによって、例えば、バッテリーの残量が少なくなると、消費電力の大きな有機ＥＬ表示体ではなく、低消費電力の液晶表示体に表示させるようにすることが可能となる。よって、携帯電話などの電子機器を長時間にわたって使用することが可能となる。
【００２０】
さらに、請求項１０に記載の電子機器において、表示情報切替回路を、使用者の操作に基づいて選択を行うようにしたことによって、使用者の必要とする表示情報を、 使用者の嗜好に応じて表示させることが可能となる。
本発明の表示体によれば、本発明の電子機器を容易に実現することが可能となる。
【００２１】
【発明の実施の形態】
以下、本発明の一実施の形態について、図面を参照して説明する。
（第一実施形態）
図１は、本発明における電子機器の一例としての携帯電話の斜視図である。図２は、図１における携帯電話用ディスプレイの一実施形態を示す断面図である。
【００２２】
本実施形態における携帯電話２００は、図１に示すように、複数の操作ボタン２０１と、受話口２０２と、送話口２０３と、ディスプレイ１００と、を具備している。
ディスプレイ１００は、図２に示すように、携帯電話２００の矩体Ｃ内に順次積層される、有機ＥＬパネル用駆動回路３０８が形成された有機ＥＬ駆動用基板３０と、液晶パネル用駆動回路３０７が形成された液晶駆動用基板４０と、導光板（バックライト）５０と、液晶パネル２０と、有機ＥＬパネル１０と、さらに有機ＥＬパネル１０の上に形成され、矩体Ｃ内を密封状態に保つカバーガラスＧと、から構成されている。
【００２３】
ここで、有機ＥＬパネル１０は、ガラス基板１１の一面側（図２における下面側）に順次積層される、陽極１２と陰極１４との間に発光性有機層１３を挟層してなる有機ＥＬ素子Ｅと、封止材１５と、封止用ガラス基板１６と、から構成されている。この有機ＥＬパネル１０は、ドットマトリックス型の表示体であり、パッシブマトリックス方式で駆動されるようになっているが、アクティブマトリックス方式で駆動するようにしても構わない。
【００２４】
陽極１２は、ＩＴＯ（Ｉｎｄｉｕｍ  Ｔｉｎ  Ｏｘｉｄｅ：錫ドープ酸化インジウム）や、ＩＺＯ（亜鉛ドープ酸化インジウム）など、導電性を有する透明材料からなり、例えばスパッタリング法などにより形成される。
陰極１４は、カルシウム（Ｃａ）、マグネシウム（Ｍｇ）、リチウム（Ｌｉ）、バリウム（Ｂａ）など仕事関数の低い金属を用い、さらに、耐酸化性や導電性を向上させるために、アルミニウム（Ａｌ）、金（Ａｕ）、銀（Ａｇ）、タンタル（Ｔａ）、ＩＴＯ、ＩＺＯなどの耐酸化性及び導電性を併せ持つ金属や金属酸化物を積層したり、合金化したりすることが望ましい。ここで、陰極１４は、真空蒸着法やスパッタリング法などにより形成される。
【００２５】
発光性有機層１３は、正孔注入層として、バイエル社製「Ｂａｙｔｒｏｎ」（ＰＥＤＯＴ：ポリエチレンジオキシチオフェン）などの導電性高分子材料を成膜したのち、発光層として、各色に対応したポリフルオレン系やポリパラフェニレンビニレン系などのπ共役を有する発光性高分子材料を積層した構造からなり、例えばインクジェット法などにより形成される。
【００２６】
封止用ガラス基板１６は、有機ＥＬパネル１０内への酸素及び水分の浸入を妨げる機能を果たしており、封止剤１５として、２液性のエポキシ系熱硬化性樹脂やＵＶ硬化性樹脂等を用いて、ガラス基板１１と張り合わせ封止している。
また、液晶パネル２０は、有機ＥＬパネル１０における封止用ガラス基板１６と対向して配置される液晶用対向基板２１の一面側（図２における下面側）に順次積層される、液晶２２と、液晶駆動用ＴＦＴ（Ｔｉｎ  Ｆｉｌｍ  Ｔｒａｎｓｉｓｔｅｒ）基板２３と、から構成されている。この液晶パネル２０も、有機ＥＬパネル１０と同様に、ドットマトリックス型の表示体であり、その駆動方式はアクティブマトリックス方式であるが、パッシブマトリックス方式で駆動するようにしても構わない。
【００２７】
液晶２２は、公知の液晶材料を用いることができ、例えば、ＴＮ（Ｔｗｉｓｔｅｄ  Ｎｅｍａｔｉｃ）型やＳＴＮ（Ｓｕｐｅｒ  Ｔｗｉｓｔｅｄ  Ｎｅｍａｔｉｃ）型の液晶、さらに、高分子を含有する高分子分散型の液晶を用いることができる。
さらに、有機ＥＬ駆動用基板３０は、有機ＥＬパネル用駆動回路３０８が形成されており、異方性ゴム３０ａを介して、有機ＥＬパネル１０の陽極１２及び陰極１４と接続されている。この陽極１２及び陰極１４間に直流電圧を印加することで、有機ＥＬ素子Ｅを発光させ、有機ＥＬパネル１０に表示を行うようにしている。
【００２８】
さらに、液晶駆動用基板４０は、液晶パネル用駆動回路３０７が形成されており、ＴＡＢ（Ｔａｐｅ  Ａｕｔｏｍａｔｅｄ  Ｂｏｎｄｉｎｇ）等の配線が形成されたフレキシブル基板４０ａを介して、液晶パネル２０の電極取り出し部２２ａに接続されている。この電極取り出し部２２ａに直流電圧を印加することで、液晶パネル２０に表示を行うようにしている。
【００２９】
バックライト５０は、液晶パネル２０を背面から照射する装置であり、液晶駆動用基板４０と、配線５０ａを介して接続されたバックライト用ＬＥＤ（Ｌｉｇｈｔ−ｅｍｉｔｔｉｎｇ  ｄｉｏｄｅ：発光ダイオード）５０Ａによって発光が行われるようになっている。
次に、本実施形態のディスプレイ１００における制御装置３００と、液晶パネル用駆動回路３０７及び有機ＥＬパネル用駆動回路３０８とについて、図３を参照して説明する。図３は、本発明の電子機器における制御装置及び駆動回路の一構成例を示すブロック図である。
【００３０】
制御装置３００は、電源回路３０１と、クロック発生回路３０２と、液晶用表示情報出力回路３０３と、有機ＥＬ用表示情報出力回路３０４と、液晶用表示情報処理回路３０５と、有機ＥＬ用表示情報処理回路３０６と、から構成されており、この制御装置３００によって、液晶パネル用駆動回路３０７と、有機ＥＬパネル用駆動回路３０８の動作が制御されている。
【００３１】
ここで、液晶用表示情報出力回路３０３には、時刻表示や壁紙表示など電源を投入している間には常時表示する必要がある表示情報（第一の表示情報）が記憶されており、随時必要に応じて、その記憶されている表示情報が液晶用表示情報処理回路３０５に供給される。有機ＥＬ用表示情報出力回路３０４には、既に決められた数種類のキャラクター表示などの動画や時刻表示などを表示する表示情報（第二の表示情報）が記憶されており、随時必要に応じて、その記憶されている表示情報が有機ＥＬ用表示情報処理回路３０６に供給される。
【００３２】
また、液晶用表示情報処理回路３０５及び有機ＥＬ用表示情報処理回路３０６では、それぞれ液晶用表示情報出力回路３０３及び有機ＥＬ用表示情報出力回路３０４から供給された表示情報を、表示に適した配列に変換する等の処理を行っている。
さらに、液晶パネル用駆動回路３０７及び有機ＥＬパネル用駆動回路３０８では、データ線駆動回路３０７Ｘ、３０８Ｘと、走査線駆動回路３０７Ｙ、３０８Ｙとを備えている。そして、液晶用表示情報処理回路３０５及び有機ＥＬ用表示情報処理回路３０６から供給された表示データに従って、データ線駆動回路３０７Ｘ、３０８Ｘ及び走査線駆動回路３０７Ｙ、３０８Ｙを動作させて、データ線と走査線を駆動させるようになっている。
【００３３】
ここで、本実施形態における制御装置３００において、電源回路３０１から電源が供給されると、クロック発生回路３０２の情報に基づいて計時カウントが行われ、液晶用表示情報出力回路３０３から、液晶用表示情報処理回路３０５に向けて、時計表示や非動作の待受画面などの各種情報（第一の表示情報）が出力される。次いで、液晶用表示情報処理回路３０５において、表示に適したデータ配列への変換などの処理を施された後、上記時計表示や非動作の待受画面などの各種表示情報が、液晶パネル用駆動回路３０７に送信される。そして、その表示データに従って、データ線駆動回路３０７Ｘ及び走査線駆動回路３０７Ｙに電圧が印加されることで、液晶パネル２０に時計表示や非動作の待受画面などが表示されるようになる。
【００３４】
一方、キャラクター表示などの動画表示や、暗時の表示など各種表示情報（第二の表示情報）を行う場合には、クロック発生回路３０２からの計時カウントに基づいて、液晶用表示情報処理回路３０５の動作を一時停止し、有機ＥＬ用表示情報出力回路３０４から、有機ＥＬ用表示情報処理回路３０６に向けて、キャラクター表示など動画表示や暗時の表示などの第二の表示情報が出力される。次いで、有機ＥＬ用表示情報処理回路３０６において、表示に適したデータ配列への変換などの処理を施された後、上記キャラクター表示や時刻表示などの各種表示情報は、有機ＥＬパネル用駆動回路３０８に送信される。そして、その表示データに従って、データ線駆動回路３０８Ｘ及び走査線駆動回路３０８Ｙに電圧が印加されることで、有機ＥＬパネル１０にキャラクター表示などの動画或いは暗時の表示が表示されるようになる。
【００３５】
本実施形態の制御装置３００において、電源を投入している間には常時表示が必要である時刻表示や待受画面などは、液晶パネル用駆動回路３０７によって、液晶パネル２０に表示させておき、暗時において表示させる時刻表示やイベント発生時などに表示させるキャラクター表示などの動画などは、一時的に液晶パネル２０の表示を停止し、有機ＥＬパネル用駆動回路３０８によって、有機ＥＬパネル１０に表示させるようにしている。
【００３６】
つまり、本実施形態においては、待受画面や時刻表示などの静止画が表示される液晶パネル２０と、キャラクター表示などの動画が表示される有機ＥＬパネル１０とは、同時に表示されることなく、液晶パネル２０或いは有機ＥＬパネル１０は常時いずれか一方が表示されるようになっている。
このように、待受画面や時刻の表示など常時表示が必要とされる場合は、低消費電力で表示可能な液晶パネル２０において表示を行うようにし、優れた画像表示や動画表示、 或いは暗時における表示が必要とされる場合は、高速応答性及び広視野角、並びに高コントラスト比で表示可能な有機ＥＬパネル１０において表示を行うようにしたことによって、有機ＥＬパネル１０を使用する際に課題とされている、消費電力の問題を改善することが可能となる。
（第一実施形態の変形例）
第一実施形態のディスプレイ１００の制御装置３００において、液晶パネル用駆動回路３０７と有機ＥＬパネル用駆動回路３０８とを同時に駆動させ、液晶パネル２０及び有機ＥＬパネル１０を同時に表示させるようにしても構わない。
【００３７】
本変形例におけるディスプレイ１００は、制御装置３００において、液晶パネル用駆動回路３０７と有機ＥＬパネル用駆動回路３０８とを同時に駆動させることで、液晶パネル２０によって表示する待受画面、壁紙、背景、時刻表示などの上に、有機ＥＬパネル１０によって表示するキャラクター表示などの動画が表示されるようになる。つまり、異なる表示情報を有する液晶パネル２０と有機ＥＬパネル１０とを同時に表示し、異なる二つの表示を同時に表示させるようにしている。
【００３８】
このように、液晶パネル２０と有機ＥＬパネル１０とに異なる画像表示を形成し、液晶パネル用駆動回路３０７と有機ＥＬパネル用駆動回路３０８とを同時に駆動させることによって、有機ＥＬパネル１０によって高速応答性及び広視野角、並びに高コントラスト比を有する動画表示が実現可能であるとともに、液晶パネル２０によってより低消費電力を実現させることが可能となる。
【００３９】
また、液晶パネル２０に表示する表示情報と、有機ＥＬパネル１０に表示する表示情報とを両方とも視認することができるため、表示レイアウトの自由度を向上させることが可能となる。
（第二実施形態）
図４は、図１における携帯電話用ディスプレイの他の実施形態を示す断面図である。
【００４０】
ディスプレイ１００は、第一実施形態における液晶パネル用駆動回路３０７と、有機ＥＬパネル用駆動回路３０８とを、同一基板である液晶及び有機ＥＬ駆動用基板６０に形成した構成としている。
この液晶及び有機ＥＬ駆動用基板６０は、液晶パネル２０の電極取り出し部２２ａと、ＴＡＢ等の配線が形成されたフレキシブル基板６０ｂを介して接続されている。同様に、有機ＥＬパネル１０の陽極１２及び陰極１４と、異方性ゴム６０ａを介して接続されている。さらに、バックライト用ＬＥＤ５０Ａと、配線６０ｃを介して接続されている。
【００４１】
このように、液晶パネル用駆動回路３０７と、有機ＥＬパネル用駆動回路３０８とを、同一の液晶及び有機ＥＬ駆動用基板６０に形成するようにしたことによって、携帯電話２００など電子機器の薄型化、軽量化を実現することが可能となる。
（第三実施形態）
図５は、本発明の電子機器における制御装置及び駆動回路の他の構成例を示すブロック図である。
【００４２】
ディスプレイ１００の制御装置３００Ａは、第一実施形態の駆動装置３００における液晶用表示情報出力回路３０３と有機ＥＬ用表示情報出力回路３０４とを、機能的には一つの表示情報出力回路３０９としているとともに、この表示情報出力回路３０９内から出力される表示情報を、液晶パネル用駆動回路３０７を制御する液晶用表示情報処理回路３０５及び有機ＥＬパネル用駆動回路３０８を制御する有機ＥＬ用表示情報処理回路３０６のいずれかに選択的に出力可能な表示情報切替回路３１０を備えている。
【００４３】
ここで、表示情報切替回路３１０を、時間情報に基づいて、例えば、有機ＥＬパネル１０が表示された状態で未操作状態が所定時間続くと、自動的に液晶パネル２０が表示されるように、有機ＥＬ用表示情報処理回路３０６から液晶用表示情報処理回路３０５に切り替わるように設定すると、さらなる低消費電力化を実現させることが可能となる。
【００４４】
また、表示情報切替回路３１０を、携帯電話２００の周辺の明るさに基づいて、例えば、液晶パネル２０で表示が見え難くなる暗時になると、自動的に有機ＥＬパネル１０に表示されるように、液晶用表示情報処理回路３０５から有機ＥＬ用表示情報処理回路３０６に切り替わるように設定すると、暗時においても視認性に優れた表示を実現させることが可能となる。
【００４５】
さらに、表示情報切替回路３１０を、バッテリの残量に基づいて、例えば、バッテリーの残量が少なくなったある任意の時点で、大きな消費電力を有する有機ＥＬパネル１０ではなく低消費電力の液晶パネル２０に表示させるように、有機ＥＬ用表示情報処理回路３０６から液晶用表示情報処理回路３０５に切り替わるように設定すると、携帯電話２００など電子機器の長時間にわたる使用を実現させることが可能となる。
【００４６】
さらに、表示情報切替回路３１０を、使用者の操作に基づいて、例えば、使用者が必要とする情報を有機ＥＬパネル１０に表示させ、あまり必要としない情報は液晶パネル１０に表示させるように、有機ＥＬ用表示情報処理回路３０６と液晶用表示情報処理回路３０５とを自由に切り替えることができるように設定すると、使用者の嗜好に応じた表示レイアウトを実現させることが可能となる。
【００４７】
つまり、本来は、液晶パネル２０で表示している時刻表示や待受画面を有機ＥＬパネル１０で表示させたり、或いは、本来は、有機ＥＬパネル１０で表示している動画などを液晶パネル２０に表示させたりすることが可能となる。よって、表示レイアウトの自由度を向上させることが可能となる。
(第三実施形態の変形例）
第三実施形態の制御装置３００Ａにおいて、表示情報出力回路３０９として、第一実施形態の制御装置３００と同様の液晶用表示情報出力回路３０３及び有機ＥＬ用表示情報出力回路３０４を備え、通常は第一実施形態と同様の制御を行い、例えば、時間情報、 明るさ、バッテリーの残量、使用者の操作などに基づいた所定の選択条件が備わった場合に、表示情報切替回路３１０を動作させるようにしても構わない。
【００４８】
つまり、通常、液晶用表示情報出力回路３０３に記憶された表示情報は、液晶用表示情報処理回路３０５に供給し、液晶パネル用駆動回路３０７を動作させることで液晶パネル２０に表示させておくとともに、有機ＥＬ用表示情報出力回路３０４に記憶された表示情報は、有機ＥＬ用表示情報処理回路３０６に供給し、有機ＥＬパネル用駆動回路３０８を動作させることで有機ＥＬパネル１０に表示させておく。そして、時間情報、明るさ、バッテリーの残量、使用者の操作など所定の選択条件が備わった場合に、例えば、液晶用表示情報出力回路３０３に記憶された表示情報を、表示情報切替回路３１０によって有機ＥＬ用表示情報処理回路３０６に供給し、有機ＥＬパネル１０に表示させたり、或いは、有機ＥＬ用表示情報出力回路３０４に記憶された表示情報を、表示情報切替回路３１０によって液晶用表示情報処理回路３０５に供給し、液晶パネル２０に表示させるようにしてもよい。
【００４９】
また、液晶用表示情報出力回路３０３に記憶された表示情報と、有機ＥＬ用表示情報出力回路３０４に記憶された表示情報の両方を、表示情報切替回路３１０を動作させることによって、液晶用表示情報処理回路３０５に供給し、液晶パネル２０に表示させるようにしてもよい。同様に、液晶用表示情報出力回路３０３に記憶された表示情報と、有機ＥＬ用表示情報出力回路３０４に記憶された表示情報の両方を、表示情報切替回路３１０を動作させることによって、有機ＥＬ用表示情報処理回路３０６に供給し、有機ＥＬパネル１０に表示させるようにしてもよい。
（第四実施形態）
図６は、本発明の電子機器における制御装置及び駆動回路の他の構成例を示すブロック図である。
【００５０】
ディスプレイ１００は、第一実施形態と同様の構成を有するディスプレイ１００における有機ＥＬパネル１０が、セグメント型の表示体であり、パッシブ方式で駆動されるようになっている。
ここで、本実施形態における制御装置３００Ｂにおける有機ＥＬパネル用駆動回路３０８は、図６に示すように、特定の数字、文字、図形などをかたどった一つ一つの画素から引き出される複数のセグメント電極と、このセグメント電極と対抗する一つのコモン電極と、から構成されるセグメント駆動回路３０８Ｚを駆動させることよって、有機ＥＬパネル１０に特定のセグメント表示を表示させるようにしている。
【００５１】
このように、待受画面や時刻の表示など電源を投入している間には常時表示が必要とされる表示情報を、低消費電力の液晶表示パネル２０で表示するとともに、暗時の時刻表示やイベント時のアラーム表示など比較的消費電力の小さな一定の表示情報を有機ＥＬパネル１０で表示するようにしたことによって、携帯電話２００など電子機器をより低消費電力で駆動させることが可能となる。
（その他の実施形態）
上記実施形態において、電子機器の一例としてディスプレイ１００を搭載した携帯電話２００について説明したが、その他、モバイル型のパーソナルコンピュータ、ディジタルスチルカメラ等に適用した例として、図７及び図８を参照して説明する。
【００５２】
図７は、モバイル型のパーソナルコンピュータを示す斜視図である。
モバイル型のパーソナルコンピュータ４００は、キーボード４０１を備えた本体部４０２と、前述のディスプレイ１００からなる表示ユニット４０３と、から構成されている。
図８は、ディジタルスチルカメラを示す斜視図である。
【００５３】
ディジタルスチルカメラ５００は、ケース５０１と、その背面に設けられ、前述のディスプレイ１００からなる表示パネル５０２と、ケース５０１の観察側（図 6における裏面側）に設けられる光学レンズやＣＣＤ（Ｃｈａｒｇｅ  Ｃｏｕｐｌｅｄ  Ｄｅｖｉｃｅ）を含んだ受光ユニット５０３と、シャッタボタン５０４と、シャッタボタン５０４を押した時のＣＣＤの撮像信号が転送・格納される回路基板５０５と、から構成されている。また、このディジタルスチルカメラ５００にあっては、ケース５０１の側面にビデオ信号出力端子５０６と、データ通信用の入出力端子５０７とが設けられ、前者のビデオ信号出力端子５０６にはテレビモニタ６００が、後者のデータ通信用の入出力端子５０７にはパーソナルコンピュータ７００が、それぞれ必要に応じて接続される。
【００５４】
なお、電子機器としては、これに限らず、テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等に挙げられ、いずれも上述のディスプレイ１００を搭載することが可能である。
【００５５】
ここで、本実施形態における液晶パネル２０は、請求項における液晶表示体に対応し、有機ＥＬパネル１０は、有機ＥＬ表示体に対応している。同様に、制御装置３００、３００Ａ、３００Ｂは制御手段に、液晶用表示情報出力回路３０３は液晶用情報記憶部に、有機ＥＬ用表示情報出力回路３０４は有機ＥＬ用情報記憶部に、表示情報出力回路３０９は情報記憶部に、液晶用表示情報処理回路３０５は液晶用制御回路に、有機ＥＬ用表示情報処理回路３０６は有機ＥＬ用制御回路に、それぞれ対応している。また、液晶パネル用駆動回路３０７は液晶用駆動回路に、有機ＥＬパネル用駆動回路３０８は有機ＥＬ用駆動回路に、それぞれ対応している。
【００５６】
【発明の効果】
以上説明したように、本発明における電子機器によれば、表示体を、液晶表示体と、この液晶表示体の表示面上に重ねられて配置された光透過性を有する有機ＥＬ表示体とで構成したことによって、有機ＥＬ表示体における表示と液晶表示体における表示との両方を視認することが可能となるため、必要に応じて液晶表示体と有機ＥＬ表示体とを使い分けたり、或いは同時に使用したりすることが可能となる。
本発明における表示体によれば、本発明における電子機器を容易に実現することが可能となる。
【図面の簡単な説明】
【図１】本発明における電子機器の一例としての携帯電話を示す斜視図である。
【図２】図１における携帯電話用ディプレイの一実施形態を示す断面図である。
【図３】本発明の電子機器における制御装置及び駆動回路の一構成例を示すブロック図である。
【図４】図１における携帯電話用ディスプレイの他の実施形態を示す断面図である。
【図５】本発明の電子機器における制御装置及び駆動回路の他の構成例を示すブロック図である。
【図６】本発明の電子機器における制御装置及び駆動回路の他の構成例を示すブロック図である。
【図７】本発明における電子機器の他の一例としてのモバイル型のパーソナルコンピュータを示す斜視図である。
【図８】本発明における電子機器の他の一例としてのディジタルスチルカメラを示す斜視図である。
【符号の説明】
１０      有機ＥＬパネル（有機ＥＬ表示体）
１１      ガラス基板
１２      陽極
１３      発光性有機層
１４      陰極
１５      封止材
１６      封止用ガラス基板
２０      液晶パネル（液晶表示体）
２１      液晶用対向基板
２２      液晶
２３      液晶駆動用ＴＦＴ基板
３０      有機ＥＬ駆動用基板
４０      液晶駆動用基板
５０      導光板（バックライト）
５０Ａ    バックライト用ＬＥＤ
６０      液晶及び有機ＥＬ駆動用基板
３０ａ、６０ａ    異方性ゴム
４０ａ、６０ｂ    フレキシブル基板
５０ａ、６０ｃ    配線
１００    ディスプレイ
２００    携帯電話 (電子機器）
２０１    操作ボタン
２０２    受話口
２０３    送話口
３００、３００Ａ、３００Ｂ    制御装置（制御手段）
３０１    電源回路
３０２    クロック発生回路
３０３    液晶用表示情報出力回路（液晶用情報記憶部）
３０４    有機ＥＬ用表示情報出力回路 (有機ＥＬ用情報記憶部）
３０５    液晶用表示情報処理回路 (液晶用制御回路）
３０６    有機ＥＬ用表示情報処理回路 (有機ＥＬ用制御回路）
３０７    液晶パネル用駆動回路（液晶用駆動回路）
３０８    有機ＥＬパネル用駆動回路（有機ＥＬ用駆動回路）
３０９    表示情報出力回路（情報記憶部）
３１０    表示情報切替回路
４００    モバイル型パーソナルコンピュータ (電子機器）
４０１    キーボード
４０２    本体部
４０３    表示ユニット
５００    ディジタルスチルカメラ (電子機器）
５０１    ケース
５０２    表示パネル
５０３    受光ユニット
５０４    シャッタボタン
５０５    回路基板
５０６    ビデオ信号出力端子
５０７    データ通信用の入出力端子
６００    テレビモニタ
７００    パーソナルコンピュータ
Ｃ        矩体
Ｅ        有機ＥＬ素子
Ｇ        カバーガラス
３０７    液晶パネル用駆動回路（液晶用駆動回路）
３０８    有機ＥＬパネル用駆動回路（有機ＥＬ用駆動回路）
３０７Ｘ、３０８Ｘ    データ線駆動回路
３０７Ｙ、３０８Ｙ    走査線駆動回路
３０８Ｚ    セグメント駆動回路
【図１】
0004479140.tif 000002
【図２】
0004479140.tif 000003
【図３】
0004479140.tif 000004
【図４】
0004479140.tif 000005
【図５】
0004479140.tif 000006
【図６】
0004479140.tif 000007
【図７】
0004479140.tif 000008
【図８】
0004479140.tif 000009